(57)【要約】      （修正有）【課題】包装する商品の高級感を演出しうる包装用箱を提供する。【解決手段】底板１１と、上記底板１１の左右にそれぞれ接続された左右側壁板１３と、上記底板１１の前後にそれぞれ接続された前後側壁板１２と、上記前後側壁板１２のいずれかに接続された蓋板１４と、上記左右側壁板１３と前後側壁板１２の間の各隅角部に設けられた方形の連接片１５とを備え、上記各連接片１５が内方向に折曲げられて三角状重合片１５ａ，１５ｂが形成され、上記前後側壁板１２に隣接する側に位置する三角状重合片１５ａが、上記前後側壁板１２の内側面に貼着され、上記前後側壁板１２のうち少なくともいずれかの上端部に、中蓋板１６が接続されている。商品を取り出すときは、蓋板１４を開けてさらに中蓋を開くことで商品が現れ、商品の高級感を演出できる。【選択図】図１
0003214880.tif 000002
【実用新案登録請求の範囲】
【請求項１】
底板と、
上記底板の左右にそれぞれ接続された左右側壁板と、
上記底板の前後にそれぞれ接続された前後側壁板と、
上記前後側壁板のいずれかに接続された蓋板と、
上記左右側壁板と前後側壁板の間の各隅角部に設けられた方形の連接片とを備え、
上記各連接片が内方向に折曲げられて三角状重合片が形成され、
上記前後側壁板に隣接する側に位置する三角状重合片が、上記前後側壁板の内側面に貼着され、
上記前後側壁板のうち少なくともいずれかの上端部に、中蓋板が接続されている
ことを特徴とする包装用箱。
【請求項２】
上記前後側壁板それぞれの上端部に中蓋板が接続されることにより、観音開き状の中蓋が構成されている
請求項１記載の包装用箱。
【請求項３】
上記各中蓋板の根元から先端までの寸法が、上記前後側壁板の高さにあたる寸法と合致している
請求項２記載の包装用箱。
【請求項４】
上記底板・前後側壁板および蓋板を含んで構成された第１パーツと、上記左右側壁板および連接片を含んで構成された第２パーツと、上記中蓋板を含んだ第３パーツが、互いに接合されて構成されている
請求項１〜３のいずれか一項に記載の包装用箱。
【請求項５】
上記蓋板の先端に折曲片が接続され、
上記折曲片が磁石によって前後側壁板のいずれかに吸着するように構成されている
請求項１〜４のいずれか一項に記載の包装用箱。
【考案の詳細な説明】
【技術分野】
【０００１】
本考案は、包装用箱に関するものである。
【背景技術】
【０００２】
従来から、様々な商品を包装する箱として各種のものが提案されている。このような包装用箱に関する先行技術文献として、出願人は下記の特許文献１および２を把握している。
【先行技術文献】
【特許文献】
【０００３】
【特許文献１】実開昭５４−１０４４７号公報
【特許文献２】特開２００６−２１３３８６号公報
【０００４】
〔特許文献１〕
上記特許文献１には、つぎの記載がある。
［明細書第３頁第４行目〜第５頁第２行目］
第１図は展開図であり、第３図以下の図面に示す箱本体Ａを構成すべき本体部１と、蓋体Ｂを構成すべき蓋体部２とが連設されている。
本体部１には中央に方形の底板部３が形成されるよう折目ａ、ａ’及びｂ、ｂ’が刻設され、底板部３の左右両側には折目ａ、ａ’を介して左右側壁４、５が、また、底板部３の前後側には折目ｂ、ｂ’を介して前後側壁６、７が夫々連設される。左右側壁４、５と前後側壁６、７との各連接部たる各隅角部の方形の連接片８には折目ｃを刻設してこれを内方向に折曲げることによって三角状重合片９、１０が形成される。
蓋体部２には上記後側壁７に連設して折目ｄを介して方形の天蓋部１１が形成され、該天蓋部１１の左右両側には折目ｅ、ｅ’を介して天蓋用左右側壁１２、１３が形成される。この左右側壁１２、１３と上記本体部１の方形の連接片８とは連接されず、切目１４によって分離される。１５は折目ｆを介して天蓋部１１に連設された蓋体用前側壁であって、これと上記蓋体用左右側徹１２、１３との連接部にも方形の連接片１６が形成される。この連接片１６には折目ｇを刻設してこれを内方向に折曲げることにより三角状重合片１７、１８が形成される。
上記した第１図の展開状態において、前後側壁６、７に隣接する側の三角状重合片１０、１０を前後側壁６、７の内側面に貼着し、また、蓋体用前側壁１５に隣接する側の三角状重合片１８を蓋体用前側壁１５の内側面に貼着する。これにより第２図の状態となり、不使用時には扁平となる。
次に、第２図の状態からこれを組み立てるには箱本体への左右側壁４、５を起立させると三角状重合片１０が前後側壁６、７に貼着されているため前後側壁６、７は起立する。また、蓋体Ｂの蓋体用左右側壁１２、１３を起立させると蓋体用前側壁１５がこれに伴って起立する。従って、箱本体Ａ内に物品を収納した後、蓋体Ｂを第４図の如く嵌合させればよい。
【０００５】
〔特許文献２〕
上記特許文献２には、つぎの記載がある。
［００３１］
組立用ブランクシートＢ２は、図１に示した組立用ブランクシートＢ１と異なり、図９に示すように、特に、箱本体４０の内装板材２０´において、第２前側板部３０および第２底板部３１の左右両側を切除し、第２底板部３１に補強フラップを有しない形態に切断加工してなる。一方で、これら左右両側に残るシート原材Ｓの残余シート部分を利用し、その残余シート部分から、内蓋４１および重ね底４２を、それぞれ切り出して作製する。
［００３２］
内蓋４１は、箱本体４０の上部開口３９に合わせて切り出した長方形の蓋片部４１ａと、蓋片部４１ａの一側の側縁で折り曲げたシール用フラップ４１ｂとからなる。一方、重ね底４２は、底板部１０・３１の外形状に合わせて切り出し、それらより縦横サイズがやや小さい長方形に形成してなる。
［００３５］
しかる後、箱本体４０には、上部開口３９から重ね底４２を入れて、第２底板部３１上に重ね合わせ、ベースの底壁を三重底構造にする。なお、重ね底４２は、上述したが、初めに外箱体Ｃ１を器形に折り上げたとき、上部開口３９から入れて第１底板部１０上に重ね合わせて置いて、ベースの底壁を予め三重底構造にするとよい。次いで、箱本体４０内に、例えば、生鮮食品など保冷の必要な配送品をドライアイスなど蓄冷材と一緒に収納してから、図１３に示すように、内蓋４１を箱本体４０に被せて閉める。そのとき、内蓋４１は、シール用フラップ４１ｂを下向きにして被せ、第２前側板部３０の上縁に重ねて嵌め込む。それから、二重蓋の蓋板部２２を曲げ倒して内蓋４１上に重ね合わせてから、前述と同様に、第１蓋止め片２５と第２蓋止め片２６とで蓋板部２２を二重に止める。こうして配送用箱Ａ２は、蓋側と底側が共に三重壁になると共に、左右前後の四方各面が二重壁の多重壁構造をなす箱体に組み立てられる。
【考案の概要】
【考案が解決しようとする課題】
【０００６】
上記特許文献１の梱包ケースは、使用しないときに扁平にすることができ、底板の接合等の作業をせずに組み立てることを可能としたものである。
しかしながら、上記梱包ケースは、組み立て作業を容易にする機能面のみを追求したもので、包装する商品の高級感を演出しうるものではない。また、商品を取り出した後は、もとの扁平状態に戻ってしまい、箱状を維持して物入れなどに再利用するのは困難である。
【０００７】
上記特許文献２の配送用箱は、蓄冷材等を載せる棚板として使用する内蓋を有するものである。
しかしながら、上記配送用箱も、水漏れを防いだり気密性を保持するという機能面のみを追求したものであり、包装する商品の高級感を演出しうるものではない。
【０００８】
本考案は、上記課題を解決するため、つぎの目的をもってなされた。
包装する商品の高級感を演出しうる包装用箱を提供する。
【課題を解決するための手段】
【０００９】
上記の目的を達成するため、請求項１記載の包装用箱は、つぎの構成を採用した。
底板と、
上記底板の左右にそれぞれ接続された左右側壁板と、
上記底板の前後にそれぞれ接続された前後側壁板と、
上記前後側壁板のいずれかに接続された蓋板と、
上記左右側壁板と前後側壁板の間の各隅角部に設けられた方形の連接片とを備え、
上記各連接片が内方向に折曲げられて三角状重合片が形成され、
上記前後側壁板に隣接する側に位置する三角状重合片が、上記前後側壁板の内側面に貼着され、
上記前後側壁板のうち少なくともいずれかの上端部に、中蓋板が接続されている。
【００１０】
請求項２記載の包装用箱は、請求項１記載の構成に加え、つぎの構成を採用した。
上記前後側壁板それぞれの上端部に中蓋板が接続されることにより、観音開き状の中蓋が構成されている。
【００１１】
請求項３記載の包装用箱は、請求項２記載の構成に加え、つぎの構成を採用した。
上記各中蓋板の根元から先端までの寸法が、上記前後側壁板の高さにあたる寸法と合致している。
【００１２】
請求項４記載の包装用箱は、請求項１〜３のいずれか一項に記載の構成に加え、つぎの構成を採用した。
上記底板・前後側壁板および蓋板を含んで構成された第１パーツと、上記左右側壁板および連接片を含んで構成された第２パーツと、上記中蓋板を含んだ第３パーツが、互いに接合されて構成されている。
【００１３】
請求項５記載の包装用箱は、請求項１〜４のいずれか一項に記載の構成に加え、つぎの構成を採用した。
上記蓋板の先端に折曲片が接続され、
上記折曲片が磁石によって前後側壁板のいずれかに吸着するように構成されている。
【考案の効果】
【００１４】
請求項１記載の包装用箱は、底板と、左右側壁板と、前後側壁板と、蓋板と、方形の連接片とを備えている。上記左右側壁板は、上記底板の左右にそれぞれ接続されている。上記前後側壁板は、上記底板の前後にそれぞれ接続されている。上記蓋板は、上記前後側壁板のいずれかに接続されている。上記連接片は、上記左右側壁板と前後側壁板の間の各隅角部に設けられている。上記各連接片は、内方向に折曲げられることにより三角状重合片が形成されている。上記三角状重合片のうち、上記前後側壁板に隣接する側に位置する三角状重合片が、上記前後側壁板の内側面に貼着されている。そして、上記前後側壁板のうち少なくともいずれかの上端部に、中蓋板が接続されている。
上記包装用箱は、使用しないときは、蓋板を開けて左右側壁板を内側に倒せば前後側壁板が外側に倒れて扁平になる。使用するときは、左右側壁板を回動させて起こせば、三角状重合片に引かれて前後側壁板が起き上がり、収容空間ができる。上記収容空間に商品を収容して中蓋板を回動させて中蓋を閉め、さらに蓋板を閉じることが行われる。このように、使用しないときは扁平な状態にして収容するスペースを節約できる。使用にあたって、糊付け等の作業が不要で、簡単に使用できる状態になる。また、商品を取り出すときは、蓋板を開けてさらに中蓋を開くことで商品が現れるため、包装する商品の高級感を演出することができる。
【００１５】
請求項２記載の包装用箱は、上記前後側壁板それぞれの上端部に中蓋板が接続されている。これにより、観音開き状の中蓋が構成されている。
商品を取り出すときは、蓋板を開けてさらに観音開き状の中蓋を開くことで商品が現れる。このため、包装する商品の高級感を演出することができる。
【００１６】
請求項３記載の包装用箱は、上記各中蓋板の根元から先端までの寸法が、上記前後側壁板の高さにあたる寸法と合致している。
このため、商品を取り出した後は、各中蓋板を内側に折り込んで前後側壁板に重ねることにより箱状が保持され、容易に扁平状に戻らない。このため、商品を取り出した後に、箱状を維持して物入れなどに再利用することができる。
【００１７】
請求項４記載の包装用箱は、第１パーツと、第２パーツと、第３パーツとが接合されて構成される。上記第１パーツは、上記底板・前後側壁板および蓋板を含んで構成される。上記第２パーツは、上記左右側壁板および連接片を含んで構成される。上記第３パーツは、上記中蓋板を含んで構成される。
このため、第１パーツ・第２パーツおよび第３パーツをそれぞれ別々に作製し、そののち互いに接合すれば本包装用箱ができ、製造しやすい。
【００１８】
請求項５記載の包装用箱は、上記蓋板の先端に折曲片が接続され、上記折曲片が磁石によって前後側壁板のいずれかに吸着するように構成されている。
このため、上記蓋板は磁石の吸着力により容易には開いてしまわない一方、開こうと思えば磁石の吸着を手指の力で容易に外して開くことができる。また、差し込みによらずに蓋板が閉じた状態を維持するため、開け閉めしやすく、開け閉めを繰り返しても箱が損傷しにくく、再利用しやすい。
【図面の簡単な説明】
【００１９】
【図１】本考案の一実施形態における包装用箱を説明する斜視図である。
【図２】上記実施形態の包装用箱を説明する斜視図である。
【図３】上記実施形態の包装用箱を説明する（Ａ）上から見た図と（Ｂ）側面図である。
【図４】上記実施形態の包装用箱を説明する（Ａ）上から見た図と（Ｂ）側面図である。
【図５】上記実施形態の包装用箱を説明する（Ａ）上から見た図と（Ｂ）側面図と（Ｃ）断面図である。
【図６】上記実施形態の包装用箱を説明する分解斜視図である。
【考案を実施するための形態】
【００２０】
以下、本考案の包装用箱の実施形態について詳細に説明する。
【００２１】
図１〜図６は、本考案の一実施形態における包装用箱を示す図である。
図１および図２は、使用する時の状態であり、全体構造を示す斜視図である。
図３は使用する時の状態であり、（Ａ）は上から見た図、（Ｂ）は側面図である。
図４は使用しない時の状態であり、（Ａ）は上から見た図、（Ｂ）は側面図である。
図５は、使用する時の状態であり、（Ａ）は上から見た図、（Ｂ）は側面図、（Ｃ）は断面図である。
図６は、分解斜視図である。
【００２２】
〔全体構造〕
この包装用箱は、全体として直方体の箱状で、底板１１と、左右側壁板１３と、前後側壁板１２と、蓋板１４とを備えている。
上記底板１１は上から見た状態で四角形である。
上記左右側壁板１３は、上記底板１１の左右にそれぞれ接続されている。
上記前後側壁板１２は、上記底板１１の前後にそれぞれ接続されている。
上記蓋板１４は、上記前後側壁板１２の一方に接続されている。
【００２３】
上記底板１１と前後側壁板１２は、この例では薄肉ヒンジ部を介して接続されている。したがって、上記前後側壁板１２は、底板１１に対して薄肉ヒンジ部を起点にして回動する。
上記底板１１と左右側壁板１３は、この例では薄肉ヒンジ部を介して接続されている。したがって、上記左右側壁板１３は、底板１１に対して薄肉ヒンジ部を起点にして回動する。
上記前後側壁板１２のうち一方と蓋板１４は、この例では薄肉ヒンジ部を介して接続されている。したがって、上記蓋板１４は、前後側壁板１２に対して薄肉ヒンジ部を起点にして回動する。
【００２４】
上記左右側壁板１３と前後側壁板１２の間の各隅角部には、それぞれ、方形の連接片１５が設けられている。上記各連接片１５は、それぞれ内方向に折曲げられて三角状重合片１５ａ，１５ｂが形成されている。上記三角状重合片１５ａ，１５ｂのうち、上記前後側壁板１２に隣接する側に位置する三角状重合片１５ａが、上記前後側壁板１２の内側面に貼着されている。
【００２５】
このような構造により、上記包装用箱は、使用しないときは、蓋板１４を開けて左右側壁板１３を内側に倒せば前後側壁板１２が外側に倒れて扁平になる。使用するときは、左右側壁板１３を回動させて起こせば、三角状重合片１５ａ，１５ｂに引かれて前後側壁板１２が起き上がり、収容空間ができる。上記収容空間に商品を収容して中蓋板１６を回動させて中蓋１０を閉め、さらに蓋板１４を閉じることが行われる。このように、使用しないときは扁平な状態にして収容するスペースを節約できる。使用にあたって、糊付け等の作業が不要で、簡単に使用できる状態になる。
【００２６】
〔折曲片〕
上記蓋板１４の先端には、折曲片１７が接続されている。
上記蓋板１４と折曲片１７は、この例では薄肉ヒンジ部を介して接続されている。したがって、上記折曲片１７は、蓋板１４に対して薄肉ヒンジ部を起点にして回動する。
【００２７】
上記折曲片１７が磁石１８によって前後側壁板１２のいずれかに吸着するように構成されている。上記折曲片１７と対面する側の前後側壁板１２には、上記磁石１８と対応する位置に、上記磁石１８に吸着する部材（鉄の薄板など；図示せず）が配置されている。
上記蓋板１４は磁石１８の吸着力により容易には開いてしまわない。一方、開こうと思えば磁石１８の吸着を手指の力で容易に外して開くことができる。また、差し込みによらずに蓋板１４が閉じた状態を維持するため、開け閉めしやすく、開け閉めを繰り返しても箱が損傷しにくく、再利用しやすい。
【００２８】
〔中蓋〕
上記前後側壁板１２のうち少なくともいずれかの上端部に、中蓋板１６が接続される。この例では、上記前後側壁板１２それぞれの上端部に中蓋板１６が接続されている。これにより、観音開き状の中蓋１０が構成されている。上記中蓋板１６の先端部の中央には、中蓋１０を開けるときに把持するリボンが取り付けてある。
上記中蓋板１６と前後側壁板１２は、この例では薄肉ヒンジ部を介して接続されている。したがって、上記中蓋板１６は、前後側壁板１２に対して薄肉ヒンジ部を起点にして回動する。
商品を取り出すときは、蓋板１４を開けてさらに観音開き状の中蓋１０を開くことで商品が現れる。このため、包装する商品の高級感を演出することができる。
【００２９】
また、上記各中蓋板１６の根元から先端までの寸法が、上記前後側壁板１２の高さにあたる寸法と合致している。このため、商品を取り出した後は、各中蓋板１６を内側に折り込んで前後側壁板１２に重ねることにより箱状が保持される。そして容易に扁平状に戻らない。このため、商品を取り出した後に、箱状を維持して物入れなどに再利用することができる。
【００３０】
〔分解構造〕
上記実施形態の包装用箱は、上記底板１１・前後側壁板１２および蓋板１４を含んで構成された第１パーツ１と、上記左右側壁板１３および連接片１５を含んで構成された第２パーツ２と、上記中蓋板１６を含んだ第３パーツ３が、互いに接合されて構成されている。
【００３１】
上記第１パーツ１は、上記底板１１・前後側壁板１２・蓋板１４および折曲片１７を含んで構成される。
上記底板１１と前後側壁板１２の境界は、上述したように薄肉ヒンジ部である。上記前後側壁板１２の一方と蓋板１４の境界は、上述したように薄肉ヒンジ部である。上記蓋板１４と折曲片１７の境界は、上述したように薄肉ヒンジ部である。
【００３２】
上記第２パーツ２は、上記左右側壁板１２および連接片１５を含んで構成される。
一方の左右側壁板１２と、その前後に位置する連接片１５が薄肉ヒンジ部を介して接続されている。また、他方の左右側壁板１２と、その前後に位置する連接片１５が薄肉ヒンジ部を介して接続されている。
一方の左右側壁板１２と他方の左右側壁板１２は、底接合部１１ａでつながっている。上記底接合部１１ａは薄紙であり、上記底板１１の上面に貼り合わせられる。本実施形態では、上記底接合部１１ａと上記底板１１が貼り合わせられ一体化して本発明の底板として機能している。
また、一方の連接片１５と他方の連接片１５は前後側壁接合部１２ａでつながっている。上記前後側壁接合部１２ａは薄紙であり、上記前後側壁板１２の内側面に貼り合わせられる。
【００３３】
上記第３パーツ３は、上記中蓋板１６を含んで構成される。上記中蓋板１６には、中蓋接合部１６ａが設けられている。上記中蓋接合部１６ａは、薄紙であり、上記前後側壁板１２の上端部の内側面に貼り合わせられる。
【００３４】
このようにして、本包装用箱は、上記第１パーツ１と、第２パーツ２と、第３パーツ３とが接合されて構成される。本包装用箱は、第１パーツ１・第２パーツ２および第３パーツ３をそれぞれ別々に作製し、そののち互いに接合すれば本包装用箱ができ、製造しやすい。
【００３５】
〔作用効果〕
上記実施形態の包装用箱は、底板１１と、左右側壁板１３と、前後側壁板１２と、蓋板１４と、方形の連接片１５とを備えている。上記左右側壁板１３は、上記底板１１の左右にそれぞれ接続されている。上記前後側壁板１２は、上記底板１１の前後にそれぞれ接続されている。上記蓋板１４は、上記前後側壁板１２のいずれかに接続されている。上記連接片１５は、上記左右側壁板１３と前後側壁板１２の間の各隅角部に設けられている。上記各連接片１５は、内方向に折曲げられることにより三角状重合片１５ａ，１５ｂが形成されている。上記三角状重合片１５ａ，１５ｂのうち、上記前後側壁板１２に隣接する側に位置する三角状重合片１５ａが、上記前後側壁板１２の内側面に貼着されている。そして、上記前後側壁板１２のうち少なくともいずれかの上端部に、中蓋板１６が接続されている。
上記包装用箱は、使用しないときは、蓋板１４を開けて左右側壁板１３を内側に倒せば前後側壁板１２が外側に倒れて扁平になる。使用するときは、左右側壁板１３を回動させて起こせば、三角状重合片１５ａ，１５ｂに引かれて前後側壁板１２が起き上がり、収容空間ができる。上記収容空間に商品を収容して中蓋板１６を回動させて中蓋１０を閉め、さらに蓋板１４を閉じることが行われる。このように、使用しないときは扁平な状態にして収容するスペースを節約できる。使用にあたって、糊付け等の作業が不要で、簡単に使用できる状態になる。また、商品を取り出すときは、蓋板１４を開けてさらに中蓋１０を開くことで商品が現れるため、包装する商品の高級感を演出することができる。
【００３６】
上記実施形態の包装用箱は、上記前後側壁板１２それぞれの上端部に中蓋板１６が接続されている。これにより、観音開き状の中蓋１０が構成されている。
商品を取り出すときは、蓋板１４を開けてさらに観音開き状の中蓋１０を開くことで商品が現れる。このため、包装する商品の高級感を演出することができる。
【００３７】
上記実施形態の包装用箱は、上記各中蓋板１６の根元から先端までの寸法が、上記前後側壁板１２の高さにあたる寸法と合致している。
このため、商品を取り出した後は、各中蓋板１６を内側に折り込んで前後側壁板１２に重ねることにより箱状が保持され、容易に扁平状に戻らない。このため、商品を取り出した後に、箱状を維持して物入れなどに再利用することができる。
【００３８】
上記実施形態の包装用箱は、第１パーツ１と、第２パーツ２と、第３パーツ３とが接合されて構成される。上記第１パーツ１は、上記底板１１・前後側壁板１２および蓋板１４を含んで構成される。上記第２パーツ２は、上記左右側壁板１２および連接片１５ａ，１５ｂを含んで構成される。上記第３パーツ３は、上記中蓋板１６を含んで構成される。
このため、第１パーツ１・第２パーツ２および第３パーツ３をそれぞれ別々に作製し、そののち互いに接合すれば本包装用箱ができ、製造しやすい。
【００３９】
上記実施形態の包装用箱は、上記蓋板１４の先端に折曲片１７が接続され、上記折曲片１７が磁石１８によって前後側壁板１２のいずれかに吸着するように構成されている。
このため、上記蓋板１４は磁石１８の吸着力により容易には開いてしまわない一方、開こうと思えば磁石１８の吸着を手指の力で容易に外して開くことができる。また、差し込みによらずに蓋板１４が閉じた状態を維持するため、開け閉めしやすく、開け閉めを繰り返しても箱が損傷しにくく、再利用しやすい。
【００４０】
〔変形例〕
以上は本考案の特に好ましい実施形態について説明したが、本考案は図示の実施形態に限定する趣旨ではない。本考案は、上述した以外の各種の態様に変形して実施することができ、上述した以外の各種の変形例を包含する趣旨である。
【符号の説明】
【００４１】
１：第１パーツ
２：第２パーツ
３：第３パーツ
１０：中蓋
１１：底板
１１ａ：底接合部
１２：前後側壁板
１２ａ：前後側壁接合部
１３：左右側壁板
１４：蓋板
１５：連接片
１５ａ：三角状重合片
１５ｂ：三角状重合片
１６：中蓋板
１６ａ：中蓋接合部
１７：折曲片
１８：磁石
【図１】
0003214880.tif 000003
【図２】
0003214880.tif 000004
【図３】
0003214880.tif 000005
【図４】
0003214880.tif 000006
【図５】
0003214880.tif 000007
【図６】
0003214880.tif 000008